(57)【特許請求の範囲】
【請求項１】
第１区間の間にデータラインを介して入力された第１信号パターンの発生と前記第１区間の間にクロックラインを介して入力された第２信号パターンの発生とに基づいて指示信号を検出するための指示信号検出器と、
前記指示信号検出器に接続され、前記指示信号に応答してイネーブルされ、前記第１区間の次の第２区間の間に前記クロックラインを介して入力されるクロック信号に応答して前記データラインを介して入力されるシリアライズされた映像データをデシリアライズするデシリアライザと、を含み、
前記指示信号は、前記シリアライズされた映像データ中の有効な映像データが始まる時点を示し、
前記指示信号検出器は、
前記データラインを介して入力された前記第１信号パターンと前記シリアライズされた映像データ、及び前記クロックラインを介して入力される前記第２信号パターンと前記クロック信号とを受信し、これらを論理演算し、該論理演算結果による信号を出力する論理回路と、
反転された第１出力信号を受信するための入力端子、前記論理回路から出力された前記信号を受信するためのクロック端子、第１出力信号を出力する出力端子、及び前記クロック信号を受信するリセット端子を含む第１フリップフロップと、
前記第１フリップフロップに接続され、反転された指示信号を受信するための入力端子、前記反転された第１出力信号を受信するためのクロック端子、前記指示信号を出力する出力端子、及び前記クロック信号を受信するリセット端子を含む第２フリップフロップと、を含む
ことを特徴とするデータ処理装置。
【請求項２】
前記第１信号パターンは、前記第１区間の間に第１論理状態と第２論理状態との間でＮ（Ｎは、自然数）回振動し、前記第２信号パターンは、前記第１区間の間に前記第１論理状態を維持する
ことを特徴とする請求項１に記載のデータ処理装置。
【請求項３】
前記指示信号検出器は、前記第２信号パターンが第１論理状態と第２論理状態との間でＮ（Ｎは、自然数）回振動する場合にリセットされる
ことを特徴とする請求項１に記載のデータ処理装置。
【請求項４】
前記データ処理装置は、前記デシリアライザから出力された映像データと前記クロック信号とに基づいて映像をディスプレイするディスプレイパネルをさらに含む
ことを特徴とする請求項１に記載のデータ処理装置。
【請求項５】
第１区間の間にデータラインを介して入力された第１信号パターンの発生とクロックラインを介して入力された第２信号パターンの発生とに基づいて指示信号を発生させる段階と、
前記第１区間の次の第２区間の間に指示信号に応答してデシリアライザをイネーブルし、前記クロックラインを介して前記第２区間の間に入力されるクロック信号に応答して前記データラインを介して入力されたシリアライズされた映像データをデシリアライズする段階と、を含み、
前記指示信号は、前記シリアライズされた映像データ中の有効な映像データが始まる時点を示す
ことを特徴とする、請求項１に記載のデータ処理装置による、マスタから出力された信号のデシリアライジング方法。
【請求項６】
前記第１信号パターンは、前記第１区間の間に第１論理状態と第２論理状態との間でＮ（Ｎは、自然数）回振動し、前記第２信号パターンは、前記第１区間の間に前記第１論理状態を維持する
ことを特徴とする請求項５に記載のマスタから出力された信号のデシリアライジング方法。
【請求項７】
前記第１信号パターンは、第２区間の間に前記シリアライズされた映像データのデシリアライゼーションのためのタイミングを指示するのに使われる情報を含む
ことを特徴とする請求項５に記載のマスタから出力された信号のデシリアライジング方法。
【請求項８】
前記第１信号パターンに含まれた前記情報は、前記デシリアライゼーションされた映像データがディスプレイされる映像パネルに表示されない
ことを特徴とする請求項７に記載のマスタから出力された信号のデシリアライジング方法。
【請求項９】
第１区間の間にデータラインを介して第１信号パターンを出力してクロックラインを介して第２信号パターンを出力する段階と、
前記第１区間の次の第２区間の間に並列映像データをシリアライジングし、前記データラインを介してシリアライズされた映像データを出力し、前記クロックラインを介してクロック信号を出力する段階と、を含み、
指示信号は、前記シリアライズされた映像データ中の有効な映像データが始まる時点を示す
ことを特徴とする、請求項１に記載のデータ処理装置による、並列映像データのシリアライジング方法。
【請求項１０】
前記第１信号パターンは、前記第１区間の間に第１論理状態と第２論理状態との間でＮ（Ｎは、自然数）回振動し、前記第２信号パターンは、前記第１区間の間に前記第１論理状態を維持する
ことを特徴とする請求項９に記載の並列映像データのシリアライジング方法。
【請求項１１】
第１区間の間にデータラインを介して第１信号パターンを出力してクロックラインを介して第２信号パターンを出力し、前記第１区間の次の第２区間の間に並列映像データをシリアライジングし、前記データラインを介してシリアライズされた映像データを出力し、前記クロックラインを介してクロック信号を出力するマスタと、
前記マスタに接続され、前記第１区間の間に前記第１信号パターンと前記第２信号パターンとに基づいて指示信号を発生させ、前記第２区間の間に前記指示信号と前記クロック信号とに応答して前記シリアライズされた映像データをデシリアライズするためのスレーブと、を含み、
前記指示信号は、前記シリアライズされた映像データ中の有効な映像データが始まる時点を示し、
前記スレーブは、
前記第１区間の間に前記第１信号パターンと前記第２信号パターンとに基づいて前記指示信号を検出するための指示信号検出器と、
前記指示信号に応答してイネーブルされ、前記クロック信号に応答して前記シリアライズされた映像データをデシリアライズするためのデシリアライザと、を含み、
前記指示信号検出器は、
前記データラインを介して入力された前記第１信号パターンと前記シリアライズされた映像データ、及び前記クロックラインを介して入力される前記第２信号パターンと前記クロック信号とを受信し、これらを論理演算し、該論理演算結果による信号を出力する論理回路と、
反転された第１出力信号を受信するための入力端子、前記論理回路から出力された前記信号を受信するためのクロック端子、第１出力信号を出力するための出力端子、及び前記クロック信号を受信するためのリセット端子を含む第１フリップフロップと、
反転された指示信号を受信するための入力端子、前記反転された第１出力信号を受信するためのクロック端子、前記指示信号を出力するための出力端子、及び前記クロック信号を受信するためのリセット端子を含む第２フリップフロップと、を含む
ことを特徴とするデータ処理装置。
【請求項１２】
前記第１信号パターンは、前記第１区間の間に第１論理状態と第２論理状態との間でＮ（Ｎは、自然数）回振動し、前記第２信号パターンは、前記第１区間の間に前記第１論理状態を維持する
ことを特徴とする請求項１１に記載のデータ処理装置。
【請求項１３】
前記指示信号検出器は、前記第２信号パターンが第１論理状態と第２論理状態との間でＮ（Ｎは、自然数）回振動する時にリセットされる
ことを特徴とする請求項１１に記載のデータ処理装置。
【請求項１４】
前記データ処理装置は、前記デシリアライザから出力された映像データと前記クロック信号とに基づいて映像をディスプレイするディスプレイパネルをさらに含む
ことを特徴とする請求項１１に記載のデータ処理装置。
【請求項１５】
第１区間の間にデータラインを介して第１信号パターンを出力してクロックラインを介して第２信号パターンを出力し、前記第１区間の次の第２区間の間に並列映像データをシリアライジングし、前記データラインを介してシリアライズされた映像データを出力し、前記クロックラインを介してクロック信号を出力する段階と、
前記第１区間の間に前記第１信号パターンと前記第２信号パターンとに基づいて指示信号を発生させ、前記第２区間の間に前記指示信号に応答してデシリアライザをイネーブルし、前記クロック信号に応答して前記シリアライズされた映像データをデシリアライジングする段階と、を含み、
前記指示信号は、前記シリアライズされた映像データ中の有効な映像データが始まる時点を示す
ことを特徴とする、請求項１１に記載のデータ処理装置による、データ処理方法。
【請求項１６】
前記第１信号パターンは、前記第１区間の間に第１論理状態と第２論理状態との間でＮ（Ｎは、自然数）回振動し、前記第２信号パターンは、前記第１区間の間に前記第１論理状態を維持する
ことを特徴とする請求項１５に記載のデータ処理方法。
【発明の詳細な説明】
【技術分野】
【０００１】
本発明は、電子分野に係り、特に、ディスプレイのための映像データの処理のための方法と装置に関する。
【背景技術】
【０００２】
図１は、従来のデータ処理装置１０のブロック図である。図２は、図１に図示された前記データ処理装置から伝送されたパケット（ｐａｃｋｅｔｓ）を表わす。図３は、図１に図示されたデータ処理装置によって発生した有効映像データのスキュー問題を説明するための図面である。
【０００３】
図１ないし図３を参照すれば、データ処理装置１０は、マスタ（例えば、タイミングコントローラ）１２、多数のスレーブ（例えば、カラムドライバー）Ｓ１ないしＳｎ、及びディスプレイパネル１４を含む。
【０００４】
前記マスタ１２は、並列映像データＰ−Ｄａｔａを受信し、該受信された並列映像データＰ−Ｄａｔａをシリアライズし、該シリアライズされた映像データＤＡＴＡ、クロック信号ＣＬＫ、及び有効映像データ指示信号ＶＶＤＳを出力する。前記有効映像データ指示信号ＶＶＤＳは、前記映像データＤＡＴＡのうちから有効映像データが始まる時点（または、時間）を知らせる信号である。
【０００５】
前記シリアライズされた映像データＤＡＴＡは、データラインＤ−Ｌｉｎｅを介してマスタ１２からそれぞれのスレーブＳ１ないしＳｎに伝送され、前記クロック信号ＣＬＫは、それぞれのクロックラインＣ−Ｌｉｎｅを介してマスタ１２からそれぞれのスレーブＳ１ないしＳｎに伝送される。また、前記有効映像データ指示信号ＶＶＤＳは、開始信号線Ｓ−Ｌｉｎｅを介してマスタ１２からそれぞれのスレーブＳ１ないしＳｎに伝送される。
【０００６】
前記多数のスレーブＳ１ないしＳｎのそれぞれは、前記有効映像データ指示信号ＶＶＤＳによってイネーブルされ、前記クロック信号ＣＬＫに応答してシリアライズされた映像データＤＡＴＡをデシリアライズし、有効映像データを検出して出力する。
【０００７】
前記ディスプレイパネル１４は、検出された有効映像データに基づいて映像をディスプレイする。しかし、前記マスタ１２は、独立的な開始信号線Ｓ−Ｌｉｎｅを介して有効映像データ指示信号ＶＶＤＳを多数のスレーブＳ１ないしＳｎのそれぞれに伝送するので、前記開始信号線Ｓ−Ｌｉｎｅは、スレーブＳ１ないしＳｎの個数ほど多くなり得る。
【０００８】
また、前記有効映像データ指示信号ＶＶＤＳは、ＣＭＯＳレベルで伝達されるために前記マスタ１２と前記多数のスレーブＳ１ないしＳｎとの間の高速データ伝送時、ＥＭＩ（Ｅｌｅｃｔｒｏ−ｍａｇｎｅｔｉｃ  ｉｎｔｅｒｆｅｒｅｎｃｅ）によって歪曲されうるので、前記多数のスレーブＳ１ないしＳｎのそれぞれの有効映像データ検出は難しくなりうる。
【０００９】
例えば、図２は、前記マスタ１２から前記多数のスレーブＳ１ないしＳｎのそれぞれに伝送されるパケットを表わすものであって、有効映像データを含む前記パケットは有効映像データがどこから始まるかについての情報を有していないので、前記有効映像データが前記多数のスレーブＳ１ないしＳｎのそれぞれに到達される到達時間はそれぞれ変わりうる。
【００１０】
したがって、有効映像データは、前記有効映像データ指示信号ＶＶＤＳの開始タイミングと多数のスレーブＳ１ないしＳｎのそれぞれに到達される有効データの到達タイミングのスキューが一致して初めて正確に検出されうる。
【００１１】
しかし、図３に図示されたように、有効映像データ指示信号ＶＶＤＳが歪曲される場合、”Ｌ２”区間以後でデータが検出されず、”Ｌ１”区間以後でデータが検出されうるので、有効映像データが正確に検出されないこともある。すなわち、有効映像データ指示信号ＶＶＤＳが歪曲されて”Ｌ１”と”Ｌ２”との差ほどのスキューが発生することができ、該発生したスキューによって有効映像データが正確に検出されないか、不要なデータが受信されうる。
【発明の開示】
【発明が解決しようとする課題】
【００１２】
本発明が果たそうとする技術的な課題は、マスタから発生したパケットの第１パターンとクロック信号の第２パターンとに基づいて前記パケットの有効映像データの開始時点を指示する指示信号を発生させることによって、別途に有効映像データ指示信号を伝送する独立的な信号線が必要ないデータ処理方法及びデータ処理装置を提供することである。
【００１３】
また、本発明が果たそうとする技術的な課題は、パケットの第１パターンとクロック信号の第２パターンとに基づいて有効映像データ指示信号を発生させることによって、マスタとスレーブとの間の伝送線で発生しうるＥＭＩの影響を少なくするデータ処理方法及びデータ処理装置を提供することである。
【課題を解決するための手段】
【００１４】
本発明の実施形態によるマスタから出力された信号をデシリアライジング（ｄｅｓｅｒｉａｌｉｚｉｎｇ）する方法は、第１区間の間にデータラインを介して入力された第１信号パターン（ｐａｔｔｅｒｎ）の発生とクロックラインを介して入力された第２信号パターンの発生とに基づいて指示信号を発生させる段階と、前記第１区間の次の第２区間の間に指示信号に応答してデシリアライザをイネーブルし、前記クロックラインを介して入力されるクロック信号に応答して前記データラインを介して入力されたシリアライズされた映像データをデシリアライズする段階と、を含む。
【００１５】
本発明の実施形態によるデータ処理装置は、第１区間の間にデータラインを介して入力された第１信号パターンの発生と前記第１区間の間にクロックラインを介して入力された第２信号パターンの発生とに基づいて指示信号を検出するための指示信号検出器と、前記指示信号検出器に接続され、前記指示信号に応答してイネーブルされ、前記第１区間の次の第２区間の間に前記クロックラインを介して入力されるクロック信号に応答して前記データラインを介して入力されるシリアライズされた映像データをデシリアライズするデシリアライザと、を含む。
【００１６】
本発明の実施形態による並列映像データのシリアライジング方法は、第１区間の間にデータラインを介して第１信号パターンを出力し、クロックラインを介して第２信号パターンを出力する段階と、前記第１区間の次の第２区間の間に並列映像データをシリアライジングし、前記データラインを介してシリアライズされた映像データを出力し、前記クロックラインを介してクロック信号を出力する段階と、を含む。
【００１７】
本発明の実施形態によるデータ処理装置は、第１区間の間にデータラインを介して第１信号パターンを出力し、前記第１区間の次の第２区間の間に並列映像データをシリアライジングしてシリアライズされた映像データを出力するシリアライザと、前記第１区間の間にクロックラインを介して第２信号パターンを出力し、前記第２区間の間にクロック信号を出力するクロック発生器と、を含む。
【００１８】
本発明の実施形態によるデータ処理装置は、第１区間の間にデータラインを介して第１信号パターンを出力してクロックラインを介して第２信号パターンを出力し、前記第１区間の次の第２区間の間に並列映像データをシリアライジングし、前記データラインを介してシリアライズされた映像データを出力し、前記クロックラインを介してクロック信号を出力するマスタと、前記マスタに接続され、前記第１区間の間に前記第１信号パターンと前記第２信号パターンとに基づいて指示信号を発生させ、前記第２区間の間に前記指示信号と前記クロック信号とに応答して前記シリアライズされた映像データをデシリアライズするためのスレーブと、を含む。
【００１９】
本発明の実施形態によるデータ処理方法は、第１区間の間にデータラインを介して第１信号パターンを出力してクロックラインを介して第２信号パターンを出力し、前記第１区間の次の第２区間の間に並列映像データをシリアライジングし、前記データラインを介してシリアライズされた映像データを出力し、前記クロックラインを介してクロック信号を出力する段階と、前記第１区間の間に前記第１信号パターンと前記第２信号パターンとに基づいて指示信号を発生させ、前記第２区間の間に前記指示信号に応答してデシリアライザをイネーブルし、前記クロック信号に応答して前記シリアライズされた映像データをデシリアライジングする段階と、を含む。
【発明の効果】
【００２０】
本発明によるデータ処理方法及びデータ処理装置は、別途の指示信号を伝送する信号線なしでも、マスタから発生したパケットの第１パターンとクロック信号の第２パターンとに基づいて前記パケットの有効映像データの開始時点を指示する指示信号を発生させることによって、前記信号線が占める面積を減らすことができ、前記信号線によって発生するＥＭＩを防止できる。
【００２１】
また、本発明がフォルダー形態の携帯電話機に具現される場合、前記フォルダー形態の携帯電話機でヒンジを渡る伝送線の数を減少させてコストと製品不良率とを低減させうる。
【発明を実施するための最良の形態】
【００２２】
以下、添付した図面を参照して、本発明を詳しく説明する。
【００２３】
図４は、本発明の実施形態によるデータ処理装置のブロック図である。図５は、図４に図示された前記データ処理装置から伝送されたパケット（ｐａｃｋｅｔｓ）を表わす。図６は、図４に図示されたスレーブのブロック図である。図７は、図６に図示された指示信号検出器の回路図である。図８は、図７に図示された指示信号検出器の動作タイミング図である。図４ないし図８を参照すれば、ＬＣＤ（Ｌｉｑｕｉｄ  Ｃｒｙｓｔａｌ  Ｄｉｓｐｌａｙ）のようなディスプレイに具現可能なデータ処理装置１００は、マスタ１１０（例えば、タイミングコントローラ）、多数のスレーブＳＬ１ないしＳＬｎ（例えば、カラムドライバー）、及びディスプレイパネル１２０とを含む。
【００２４】
データ処理装置１００は、携帯用端末機にも具現可能である。データ処理装置１００が、フォルダー形態の携帯用端末機に具現される場合、マスタ１１０は、前記携帯用端末機の下位部分（ｌｏｗｅｒ  ｃｌａｍｓｈｅｌｌ）に位置し、多数のスレーブＳＬ１ないしＳＬｎとディスプレイパネル１２０は、前記携帯用端末機の上位部分（ｕｐｐｅｒ  ｃｌａｍｓｈｅｌｌ）に位置することができる。
【００２５】
マスタ１１０は、並列映像データＰ−Ｄａｔａを受信し、該受信された並列映像データＰ−Ｄａｔａをシリアライズし、該シリアライズされた映像データを含むパケットと、クロック信号を生成させて出力する。
【００２６】
前記パケットは、図５に図示されたパケットの形態のように、第１信号パターン（ＳｏＰ）と映像データのパケットストリームとを含みうる。第１信号パターン（ＳｏＰ）は、第１区間（図８の”ＳＤ１”区間）の間に第１論理状態（例えば、ハイレベル（”１”）状態またはローレベル（”０”）状態）と第２論理状態（例えば、ローレベル（”０”）状態またはハイレベル（”１”）状態）との間でＮ（Ｎは、２以上の自然数）回振動する信号パターンである。クロック信号は、第１区間（図８の”ＳＤ１”区間）では、第２信号パターンを含む。
【００２７】
前記第２信号パターンは、前記第１区間ＳＤ１の間に第１論理状態（例えば、ハイレベル（”１”）状態とローレベル（”０”）状態のうち何れか一つの状態）を維持する信号パターンである。
【００２８】
例えば、第１区間ＳＤ１で、マスタ１１０は、データラインＤＡ−Ｌｉｎｅを介して第１信号パターン（ＳｏＰ、例えば、図８で”ＳＤ１”区間のパケット信号ＨＳ＿Ｄ）を出力してクロックラインＣＫ−Ｌｉｎｅを介して第２信号パターン（例えば、図８で”ＳＤ１”区間のクロック信号ＨＳ＿ＣＬＫ）を出力する。前記第１区間ＳＤ１の次の第２区間ＶＤ１で、マスタ１１０は、並列映像データＰ−Ｄａｔａをシリアライズし、前記データラインＤＡ−Ｌｉｎｅを介してシリアライズされた映像データを出力して前記クロックラインＣＫ−Ｌｉｎｅを介してクロック信号を出力できる。
【００２９】
本発明による実施形態で、第１信号パターンと第２信号パターンのそれぞれは、それぞれの信号の遷移のシーケンスを表われうる。例えば、本発明による実施形態で、前記第１信号パターンは、第１区間ＳＤ１の間にパケット信号ＨＳ＿Ｄの遷移または振動のシリーズ（ｓｅｒｉｅｓ）を含みうる。本発明による他の実施形態で、遷移のシリーズに含まれた情報は、デシリアライズデータが提供されるパネルと無関係な前記信号パターンを含む。すなわち、本発明による実施形態で、たとえ情報がデータラインを介して伝送されたとしても、前記映像データのデシリアライゼーションをイネーブルするために使われる情報は表示されない。
【００３０】
マスタ１１０は、シリアライザ１１０−１とクロック発生器１１０−２とを含みうる。シリアライザ１１０−１は、第１区間ＳＤ１の間にデータラインＤＡ−Ｌｉｎｅを介して第１信号パターン（ＳｏＰ）を出力し、第２区間ＶＤ１の間に並列映像データＰ−Ｄａｔａをシリアライズし、前記データラインＤＡ−Ｌｉｎｅを介してシリアライズされた映像データを出力できる。
【００３１】
シリアライザ１１０−１は、データラインＤＡ−Ｌｉｎｅを介して第１信号パターン（ＳｏＰ）とシリアライズされた映像データとを伝送する時、第１信号パターン（ＳｏＰ）とシリアライズされた映像データとを差動データ信号Ｐ−ＤＡＴＡとＮ−ＤＡＴＡに変換して伝送できる。
【００３２】
クロック発生器１１０−２は、第１区間ＳＤ１の間に第２信号パターンを出力し、第２区間ＶＤ１の間にクロック信号ＨＳ−ＣＬＫを出力できる。クロックラインＣＫ−Ｌｉｎｅを介して前記第２信号パターンとクロック信号ＨＳ−ＣＬＫとを伝送する時、クロック発生器１１０−２は、前記第２信号パターンと前記クロック信号ＨＳ−ＣＬＫとを差動クロック信号Ｐ−ＣＬＫとＮ−ＣＬＫに変換して伝送できる。
【００３３】
スレーブＳＬ１は、第１区間ＳＤ１の間に前記第１信号パターン（ＳｏＰ）と前記第２信号パターンとに基づいて指示信号ＳＹＮＣを発生させ、第２区間ＶＤ１の間に指示信号ＳＹＮＣとクロック信号ＨＳ＿ＣＬＫとに応答して前記シリアライズされた映像データをデシリアライズする。前記スレーブＳＬ１は、データ受信器１１２、クロック受信器１１４、指示信号検出器１１６、及びデシリアライザ１１８とを含みうる。シリアライザ１１０−１が、差動データ信号Ｐ−ＤＡＴＡとＮ−ＤＡＴＡを出力する時、データ受信器１１２は、差動データ信号Ｐ−ＤＡＴＡとＮ−ＤＡＴＡを受信して第１信号パターン（ＳｏＰ）とシリアライズされた映像データを含むパケットＨＳ＿Ｄを検出する。
【００３４】
クロック発生器１１０−２が、差動クロック信号Ｐ−ＣＬＫとＮ−ＣＬＫを出力する時、クロック受信器１１４は、差動クロック信号Ｐ−ＣＬＫとＮ−ＣＬＫを受信して第２信号パターンを含むクロック信号ＨＳ＿ＣＬＫを検出する。
【００３５】
指示信号検出器１１６は、第１区間ＳＤ１の間にデータラインＤＡ−Ｌｉｎｅを介して入力された第１信号パターン（ＳｏＰ）とクロックラインＣＫ−Ｌｉｎｅを介して入力された第２信号パターンとに基づいて指示信号ＳＹＮＣを発生させる。指示信号検出器１１６は、論理回路ＯＲ、第１フリップフロップ１１６−１、及び第２フリップフロップ１１６−３とを含む。論理回路ＯＲは、データラインＤＡ−Ｌｉｎｅを介して入力されたパケットＨＳ＿Ｄ、及びクロックラインＣＫ−Ｌｉｎｅを介して入力される第２信号パターンを含むクロック信号ＨＳ＿ＣＬＫを受信し、これらを論理演算し、該論理演算結果による信号を出力する。
【００３６】
論理回路ＯＲは、ＯＲ回路として具現可能であるが、ＮＯＲ回路、排他論理和（ＸＯＲ）回路、または否定排他論理和（ＸＮＯＲ）回路のうち何れか一つとしても具現可能であるということは勿論である。
【００３７】
第１フリップフロップ１１６−１は、論理回路ＯＲの出力信号に基づいて反転された第１出力信号／Ａをラッチし、該ラッチされた第１出力信号Ａを出力する。第１フリップフロップ１１６−１は、反転された第１出力信号／Ａを受信するための入力端子Ｄ、論理回路ＯＲの出力信号を受信するためのクロック端子ＣＫ、第１出力信号Ａを出力する第１出力端子Ｑ、反転された第１出力信号／Ａを出力する第２出力端子／Ｑ、及びクロック信号ＨＳ＿ＣＬＫを受信するリセット端子Ｒとを含みうる。
【００３８】
第２フリップフロップ１１６−３は、反転された第１出力信号／Ａに基づいて反転された指示信号／ＳＹＮＣをラッチし、該ラッチされた指示信号ＳＹＮＣを出力する。第２フリップフロップ１１６−３は、反転された指示信号／ＳＹＮＣを受信するための入力端子Ｄ、反転された第１出力信号／Ａを受信するためのクロック端子ＣＫ、指示信号ＳＹＮＣを出力する第１出力端子Ｑ、反転された指示信号／ＳＹＮＣを出力する第２出力端子／Ｑ、及びクロック信号ＨＳ＿ＣＬＫを受信するリセット端子Ｒとを含みうる。
【００３９】
第１フリップフロップ１１６−１と第２フリップフロップ１１６−３のそれぞれは、第１信号パターンＳｏＰ（第１期間ＳＤ１の間のパケットＨＳ＿Ｄ）が第１論理状態（例えば、ハイレベル（”１”）状態またはローレベル（”０”）状態）と第２論理状態（例えば、ローレベル（”０”）状態またはハイレベル（”１”）状態）との間でＮ（Ｎは、自然数）回トグル（ｔｏｇｇｌｅ）する場合、すなわち、クロック信号ＨＳ＿ＣＬＫがクロッキングする時、リセットされる。
【００４０】
したがって、有効映像データが始まる第２区間ＶＤ１で指示信号ＳＹＮＣは、ディセーブル状態になり、デシリアライザ１１８は、指示信号ＳＹＮＣがディセーブルされた以後に入力されるクロック信号ＨＳ＿ＣＬＫの上昇エッジ（または、下降エッジ）に応答してシリアライズされた有効映像データをデシリアライズできる。
【００４１】
すなわち、本発明の実施形態によれば、別途の指示信号を伝送する信号線なしにも、マスタ１１０から発生したパケットの第１パターンとクロック信号の第２パターンとに基づいて前記パケットの有効映像データの開始時点を指示する指示信号ＳＹＮＣを発生させることによって、前記信号線が占める面積を減らすことができ、前記信号線によって発生するＥＭＩを防止できる効果がある。
【００４２】
また、本発明の実施形態によるデータ処理装置１００が、フォルダー形態の携帯電話機に具現される場合、マスタ１１０は、前記携帯用端末機の下位部分に位置し、多数のスレーブＳＬ１ないしＳＬｎ及びディスプレイパネル１２０は、携帯用端末機の上位部分に位置して前記フォルダー形態の携帯電話機でヒンジを渡る伝送線の数を減少させてコストと製品不良率とを減少させうる。ディスプレイパネル１２０は、多数のスレーブＳＬ１ないしＳＬｎのそれぞれから出力された映像データＢＹＴＥ＿ＤＡＴＡとクロック信号ＢＹＴＥ＿ＣＬＫとに基づいて映像をディスプレイする。
【００４３】
図９は、本発明の実施形態によるシリアライジング方法を表わすフローチャートである。図４ないし図９を参照すれば、第１区間ＳＤ１の間、シリアライザ１１０−１は、データラインＤＡ−Ｌｉｎｅを介して第１信号パターン（ＳｏＰ）を出力し、クロック発生器１１０−２は、クロックラインＣＫ−Ｌｉｎｅを介して第２信号パターンを出力する（Ｓ９１）。第１区間ＳＤ１の次の第２区間ＶＤ１の間、シリアライザ１１０−１は、並列映像データＰ−Ｄａｔａをシリアライズしてシリアライズされた映像データをデータラインＤＡ−Ｌｉｎｅを介して出力し、クロック発生器１１０−２は、クロックラインＣＫ−Ｌｉｎｅを介してクロック信号を出力する（Ｓ９３）。
【００４４】
図１０は、本発明の実施形態によるデシリアライジング方法を表わすフローチャートである。図４ないし図８、及び図１０を参照すれば、指示信号検出器１１６は、第１区間ＳＤ１の間、データラインＤＡ−Ｌｉｎｅを介して入力された第１信号パターン（ＳｏＰ）とクロックラインＣＫ−Ｌｉｎｅを介して入力された第２信号パターンとに基づいて指示信号ＳＹＮＣを発生させる（Ｓ１０１）。
【００４５】
デシリアライザ１１８は、第１区間ＳＤ１の次の第２区間ＶＤ１の間、指示信号ＳＹＮＣに応答してイネーブルされ、クロックラインＣＫ−Ｌｉｎｅを介して入力されるクロック信号に応答してデータラインＤＡ−Ｌｉｎｅを介して入力されるシリアライズされた映像データをデシリアライズする（Ｓ１０３）。
【００４６】
図１１は、本発明の実施形態によるデータ処理方法を表わすフローチャートである。図４ないし図８、及び図１１を参照すれば、マスタ１１０は、第１区間ＳＤ１の間にデータラインＤＡ−Ｌｉｎｅを介して第１信号パターン（ＳｏＰ）を出力してクロックラインＤＡ−Ｌｉｎｅを介して第２信号パターンを出力し、第１区間ＳＤ１の次の第２区間ＶＤ１の間に並列映像データＰ−ＤａｔａをシリアライズしてデータラインＤＡ−Ｌｉｎｅを介してシリアライズされた映像データを出力してクロックラインＤＡ−Ｌｉｎｅを介してクロック信号を出力する（Ｓ１１１）。
【００４７】
スレーブＳＬ１は、第１区間ＳＤ１の間、第１信号パターン（ＳｏＰ）と第２信号パターンとに基づいて指示信号ＳＹＮＣを発生させ、第２区間ＶＤ１の間に指示信号ＳＹＮＣに応答してイネーブルされ、前記クロック信号に応答して前記シリアライズされた映像データをデシリアライズする（Ｓ１１３）。
【産業上の利用可能性】
【００４８】
本発明の実施形態による方法と装置は、データ処理装置で使われうる。
【図面の簡単な説明】
【００４９】
【図１】従来のデータ処理装置のブロック図である。
【図２】図１に図示されたデータ処理装置から伝送されたパケットを表わす図面である。
【図３】図１に図示されたデータ処理装置によって発生した有効映像データのスキュー問題を説明するための図面である。
【図４】本発明の実施形態によるデータ処理装置のブロック図である。
【図５】図４に図示されたデータ処理装置から伝送されたパケットの例を表わす図面である。
【図６】図４に図示されたスレーブのブロック図である。
【図７】図５に図示された指示信号検出器の回路図である。
【図８】図７に図示された指示信号検出器の動作タイミング図である。
【図９】本発明の実施形態によるシリアライジング方法を表わすフローチャートである。
【図１０】本発明の実施形態によるデシリアライジング方法を表わすフローチャートである。
【図１１】本発明の実施形態による映像データ処理方法を表わすフローチャートである。
【符号の説明】
【００５０】
１２：マスタ                            １１０：マスタ
１１０−１：シリアライザ                １１０−２：クロック発生器
１２０：ディスプレイパネル              １１２：データ受信器
１１４：クロック受信器                  １１６：指示信号検出器
１１８：デシリアライザ
【図１】
0005485506.tif 000002
【図２】
0005485506.tif 000003
【図４】
0005485506.tif 000004
【図６】
0005485506.tif 000005
【図７】
0005485506.tif 000006
【図８】
0005485506.tif 000007
【図９】
0005485506.tif 000008
【図１０】
0005485506.tif 000009
【図１１】
0005485506.tif 000010
【図３】
0005485506.tif 000011
【図５】
0005485506.tif 000012